(57)【要約】【課題】表示板に表示された育苗ポットの情報を認識し易い状態でその表示板を取り付けること。【解決手段】ポット収容トレー１のフランジ１４に挿入孔１６が穿設され、挿入孔１６を形成する周壁１７のうち反収容空間側の周壁１７の下方には外側リブ１８が延設され、挿入孔１６を形成する周壁１７のうち収容空間１３側の周壁１７の下方に内側リブ１９が延設される。外側リブ１８には、反収容空間側へ傾斜した外側傾斜部１８ａが形成され、内側リブ１９には、挿入孔１６から略垂直に下降する垂直部１９ａが形成される。よって、上方から差し込まれた表示板２の足部２ｂが反収容空間側へ傾斜した外側傾斜部１８ａに沿って傾けられた状態で、収容空間１３側の周壁１７と外側傾斜部１８ａとに当接保持されるので、表示板２に表示された育苗ポットの情報を認識し易い状態でその表示板２を取り付けることができる。【選択図】図３
2010136641.tif 000002
【特許請求の範囲】
【請求項１】
底壁と、その底壁の縁から上方に立設する収容壁と、その収容壁および前記底壁とで囲まれる空間であって育苗ポットが収容される収容空間とを備えたポット収容トレーにおいて、
前記収容壁の上端から前記収容空間の外側に伸びるフランジと、
そのフランジに穿設される孔であって、前記収容空間に収容される前記育苗ポットの情報が表示される表示板が差し込まれる挿入孔と、
その挿入孔を形成する周壁のうち反収容空間側の周壁の下方に延設され、下方に向かうに従って反収容空間側へ傾斜した外側傾斜部を有する外側リブと、
前記挿入孔を形成する周壁のうち収容空間側の周壁の下方に延設され、前記挿入孔から略垂直に下降する垂直部を有する内側リブとを備えていることを特徴とするポット収容トレー。
【請求項２】
前記内側リブは、前記垂直部の下方に連設され、下方に向かうに従って収容空間側へ傾斜した内側傾斜部を有していることを特徴とする請求項１記載のポット収容トレー。
【請求項３】
前記挿入孔は、中央部の間隙が最も狭く形成されており、前記外側リブと内側リブとは、その中央部の周壁の下方にそれぞれ延設されていることを特徴とする請求項１又は２に記載のポット収容トレー。
【請求項４】
前記挿入孔の収容空間側の周壁は、直線状に形成されていることを特徴とする請求項３記載のポット収容トレー。
【請求項５】
請求項１から４のいずれかに記載のポット収容トレーと、
そのポット収容トレーに穿設された前記挿入孔に差し込まれ、前記収容空間に収容される育苗ポットの情報が表示される前記表示板とを備えることを特徴とする表示板付ポット収容トレー。
【発明の詳細な説明】
【技術分野】
【０００１】
本発明はポット収容トレー及び表示板付ポット収容トレーに関し、特に表示板に表示された育苗ポットの情報を認識し易い状態でその表示板を取り付けることができるポット収容トレー及び表示板付ポット収容トレーに関するものである。
【背景技術】
【０００２】
従来より、複数の育苗ポットを運搬する場合には、その複数の育苗ポットを収容可能な合成樹脂等で形成されたポット収容トレーが使用されており、そのポット収容トレーには内部に収容されている育苗ポットの情報（名称、栽培方法等）が表示される表示板が吊り下げられている。
【０００３】
特許文献１に開示されるように、従来のポット収容トレーは、底壁と、底壁の縁から上方に立設する収容壁と、その収容壁および底壁とで囲まれる空間であって育苗ポットが収容される収容空間と、収容壁の上端から上方に立設されるピンとで構成されている。この収容トレーに吊り下げられる従来の表示板は、育苗ポットの種類等を表示する表示部と、表示部の上縁に穿設される孔であってポット収容トレーのピンに挿入される係止孔とで構成されている。
【特許文献１】特開２００３−１２０７１２号公報（図１）
【発明の開示】
【発明が解決しようとする課題】
【０００４】
しかしながら、ポット収容トレーは通常地面に直接設置されることが多いので、上述した従来のポット収容トレーでは、表示板がポット収容トレーの収容壁の上端から垂直に吊り下げられた状態となる。よって、育苗ポットを購入する購入者および育苗ポットを育てる農家等の作業者が、その立ち位置から、表示板の表示部を確認しようとしても、育苗ポットは購入者および作業者の足下付近に配置されるので、表示板の表示部に表示された育苗ポットの情報を認識し難いという問題点があった。
【０００５】
本発明は上述した問題点を解決するためになされたものであり、表示板に表示された育苗ポットの情報を認識し易い状態でその表示板を取り付けることができるポット収容トレー及び表示板付ポット収容トレーを提供することを目的としている。
【課題を解決するための手段】
【０００６】
この目的を達成するために、請求項１記載のポット収容トレーは、底壁と、その底壁の縁から上方に立設する収容壁と、その収容壁および前記底壁とで囲まれる空間であって育苗ポットが収容される収容空間とを備えるものであって、前記収容壁の上端から前記収容空間の外側に伸びるフランジと、そのフランジに穿設される孔であって、前記収容空間に収容される前記育苗ポットの情報が表示される表示板が差し込まれる挿入孔と、その挿入孔を形成する周壁のうち反収容空間側の周壁の下方に延設され、下方に向かうに従って反収容空間側へ傾斜した外側傾斜部を有する外側リブと、前記挿入孔を形成する周壁のうち収容空間側の周壁の下方に延設され、前記挿入孔から略垂直に下降する垂直部を有する内側リブとを備えている。
【０００７】
請求項２記載のポット収容トレーは、請求項１記載のポット収容トレーにおいて、前記内側リブは、前記垂直部の下方に連設され、下方に向かうに従って収容空間側へ傾斜した内側傾斜部を有している。
【０００８】
請求項３記載のポット収容トレーは、請求項１又は２に記載のポット収容トレーにおいて、前記挿入孔は、中央部の間隙が最も狭く形成されており、前記外側リブと内側リブとは、その中央部の周壁の下方にそれぞれ延設されている。
【０００９】
請求項４記載のポット収容トレーは、請求項３記載のポット収容トレーにおいて、前記挿入孔の収容空間側の周壁は、直線状に形成されている。
【００１０】
請求項５記載の表示板付ポット収容トレーは、請求項１から４のいずれかに記載のポット収容トレーと、そのポット収容トレーに穿設された前記挿入孔に差し込まれ、前記収容空間に収容される育苗ポットの情報が表示される前記表示板とを備えている。
【発明の効果】
【００１１】
請求項１記載のポット収容トレーによれば、底壁とその底壁の縁から上方に立設する収容壁とで囲まれる空間である収容空間に育苗ポットが収容され、その育苗ポットの情報が表示される表示板は、収容壁の上端から収容空間の外側に伸びるフランジに穿設された挿入孔に差し込まれることによって、ポット収容トレーに取り付けられる。
【００１２】
挿入孔の収容空間側の周壁の下方に延設される内側リブには、挿入孔から略垂直に下降する垂直部が形成されるので、フランジの上方から挿入孔に差し込まれた表示板が反収容空間側へ傾こうとしても、表示板の足は内側リブの垂直部に当接され、表示板の反収容空間側への傾きが規制される。一方、挿入孔の反収容空間側の周壁の下方に延設される外側リブには、下方に向かうに従って反収容空間側へ傾斜した外側傾斜部が形成されるので、フランジの上方から挿入孔に差し込まれた表示板は、その足が外側リブの外側傾斜部に当接するまで収容空間側へ傾けられる。よって、表示板をフランジの上方から挿入孔に差し込むことにより、表示板を収容空間側へ傾けた状態で保持できるので、表示板に表示された育苗ポットの情報を認識し易い状態で、表示板をポット収容トレーに取り付けることができるという効果がある。
【００１３】
また、表示板をフランジの下方から挿入孔に差し込む場合、外側リブの外側傾斜部は下方に向かうに従って反収容空間側へ傾斜しているので、即ち上方に向かうに従って収容空間側（挿入孔）側へ向かうように傾斜しているので、反収容空間側の周壁から延設される外側リブの外側傾斜部に表示板が当接すると、表示板は外側傾斜部に沿って上方に移動されるに従って挿入孔へ案内される。よって、表示板を外側傾斜部に沿って上方に移動させることにより表示板を挿入孔に差し込むことができるので、表示板の挿入孔への差し込み作業を簡易に行うことができ、その作業性を向上できるという効果がある。
【００１４】
請求項２記載のポット収容トレーによれば、請求項１記載のポット収容トレーの奏する効果に加え、表示板をフランジの下方から挿入孔に差し込む場合、内側リブの内側傾斜部は垂直部の下方に連設され、下方に向かうに従って収容空間側へ傾斜しているので、即ち上方へ向かうに従って反収容空間（挿入孔）側へ向かうように傾斜しているので、収容空間側の周壁から延設される内側リブの内側傾斜部に表示板が当接すると、表示板は内側傾斜部に沿って上方に移動されるに従って挿入孔へ案内される。よって、表示板を内側傾斜部に沿って上方に移動させることにより表示板を挿入孔に差し込むことができるので、表示板の挿入孔への差し込み作業を簡易に行うことができ、その作業性を向上できるという効果がある。
【００１５】
請求項３記載のポット収容トレーによれば、請求項１又は２に記載のポット収容トレーの奏する効果に加え、挿入孔の中央部を避けた他の部分の間隙は、中央部の間隙より広く形成される。よって、その広い間隙から表示板を挿入孔に容易に差し込むことができるので、表示板の差し込み作業の作業性を向上できるという効果がある。
【００１６】
加えて、挿入孔は中央部の間隙が最も狭く形成されており、その中央部の周壁の下方に外側リブと内側リブとがそれぞれ延設されるので、挿入孔へ挿入された表示板の足は外側リブと内側リブとにより案内される。内側リブには挿入孔から略垂直に下降する垂直部が形成され、外側リブには下方に向かうに従って反収容空間側へ傾斜した外側傾斜部が形成されるので、挿入孔へ挿入された表示板の足は外側リブと内側リブとにより案内されて、外側リブの外側傾斜部と収容空間側の周壁とに当接して保持される。よって、表示板を収容空間側に確実に傾けることができるという効果がある。
【００１７】
請求項４記載のポット収容トレーによれば、請求項３記載のポット収容トレーの奏する効果に加え、収容空間側に傾けられた表示板は、その自重により収容空間側の周壁に接した状態で、外側傾斜部と収容空間側の周壁とに保持される。挿入孔の収容空間側の周壁は直線状に形成されるので、かかる場合に、表示板を該直線状の周壁に沿わせて線状で支えることができ、表示板を安定保持できるという効果がある。
【００１８】
請求項５記載の表示板付ポット収容トレーによれば、請求項１から４のいずれかに記載のポット収容トレーの奏する効果と同様の効果がある。
【発明を実施するための最良の形態】
【００１９】
以下、本発明の好ましい実施の形態について、添付図面を参照して説明する。図１から図６を参照して本発明の第一実施の形態におけるポット収容トレー１を説明する。図１（ａ）は、第一実施の形態におけるポット収容トレー１の斜視図であり、図１（ａ）のＸで示す部分について拡大図示される。図１（ｂ）は、表示板２の正面図である。
【００２０】
本発明のポット収容トレー１は、ポット収容トレー１の挿入孔１６に表示板２の足部２ｂが差し込まれると、表示板２が後述する収容空間１３側（図１（ａ）左側）に傾けられ、表示板２に表示された育苗ポット（図示せず）の情報を認識し易い状態でその表示板２が取り付けられるものである。
【００２１】
図１（ａ）に示すように、ポット収容トレー１は、ブラスチック等で形成されると共に、上方が開口したメッシュ状の箱状部材であって、底壁１１と、その底壁１１の縁から上方（図１（ａ）上方）に立設する収容壁１２と、その収容壁１２および底壁１１とで囲まれる空間であって育苗ポット（図示せず）が収容される収容空間１３と、収容壁１２の上端から収容空間１３の外側に伸びるフランジ１４と、フランジ１４に穿設される孔であって、収容空間１３に収容される育苗ポットの情報が表示される表示板２が差し込まれる挿入孔１６とを備えている。
【００２２】
収容壁１２は、その上端により矩形状の開口面１２ａが形成され、その開口面１２ａから育苗ポット（図示せず）の出し入れが行われる。また、収容壁１２は、底壁１１から開口面１２ａに向かって拡径するように形成される。これにより、収容空間１３が底壁１１から開口面１２ａに向かって拡大するように構成されるので、一般的に上端に向かって拡径するカップ状に形成される育苗ポットを収容空間１３に効率よく収容できる。
【００２３】
フランジ１４は、収容空間１３を取り囲む枠状部材であって、その外縁から垂直に下降する縦壁１５が形成される。この縦壁１５によってフランジ１４の剛性を向上させることができる。よって、ポット収容トレー１に多数の育苗ポット（図示せず）が収容された状態で、フランジ１４を握持してポット収容トレー１を運搬した場合であっても、多数の育苗ポットの総重量によりフランジ１４が変形することを防止できる。従って、ポット収容トレー１の耐久性の向上を図ることができる。
【００２４】
挿入孔１６は、フランジ１４の短辺部分に３つ穿設され、中央と端部とにそれぞれ配置される。よって、表示板２は、その中央と両端との３カ所でポット収容トレー１に保持されるので、表示板２の表示部２ａが湾曲することを防止できる。これにより、表示板２が外向きに反ったり、内向きに凹んだりすることによって、表示板２の表示部２ａが認識し難くなることを防止できる。
【００２５】
また、挿入孔１６により、フランジ１４には、挿入孔１６に沿ってフランジ１４の厚み方向（図１（ａ）上下方向）に延設される周壁１７（図２参照）が形成される。この周壁１７について、図２を参照して後に詳しく説明する。
【００２６】
図１（ｂ）に示すように、表示板２は、ポット収容トレー１に取り付けられるプレートであって、ポット収容トレー１の収容空間１３に収容される育苗ポット（図示せず）の情報が表示される矩形状の表示部２ａと、その表示部２ａの下部から矩形状に延設され、挿入孔１６に差し込まれる足部２ｂとを備えている。
【００２７】
表示板２は、その足部２ｂがフランジ１４に穿設された挿入孔１６に差し込まれることによって、ポット収容トレー１に取り付けられる。従って、育苗ポット（図示せず）の情報が表示板２に表示されるので、購入者は、表示板２の情報を認識することにより、ポット収容トレー１に収容された育苗ポットの種類を簡易に識別できる。これにより、その希望する育苗ポットが収容されたポット収容トレー１を簡易に発見できる。
【００２８】
図２（ａ）は、挿入孔１６の部分におけるポット収容トレー１の拡大平面図であり、図２（ｂ）は、図２（ａ）のＩＩｂ―ＩＩｂ線におけるポット収容トレー１の拡大断面図であり、図２（ｃ）は、図２（ａ）のＩＩｃ―ＩＩｃ線におけるポット収容トレー１の拡大断面図であり、図２（ｄ）は、挿入孔１６の部分におけるポット収容トレー１の拡大下面図である。なお、図２（ｂ）及び図２（ｃ）において、表示板２が二点鎖線で図示される。
【００２９】
図２（ａ）に示すように、挿入孔１６は、平面視（図２（ａ）紙面手前から視て）平凹レンズ形状に形成される。即ち、挿入孔１６は、中央部の間隙が最も狭く形成されるので、挿入孔１６の中央部を避けた他の部分の間隙は、中央部の間隙より広く形成される。従って、その広い間隙から表示板２の足部２ｂを挿入孔１６に容易に差し込むことができるので、表示板２の差し込み作業の作業性を向上できる。
【００３０】
さらに、図２（ｂ）及び図２（ｃ）に示すように、収容壁１２と縦壁１５との間に、挿入孔１６から下方に連続する開口であるガイド開口１６ａが形成される。このガイド開口１６ａの開口幅（図２（ｂ）左右方向）の一部は、後述する外側リブ１８と内側リブ１９とにより、挿入孔１６から離間するほど広くなるように形成される。
【００３１】
また、図２（ａ）に示すように、周壁１７は、挿入孔１６の穿設方向（図２（ａ）紙面手前から奥方向）に延設され、挿入孔１６を形成するフランジ１４の壁であって、挿入孔１６の縁に沿って平凹レンズ形状に形成される。
【００３２】
詳述すると、収容空間１３側（図２（ａ）左側）の周壁１７がポット収容トレー１の短手方向（図２（ａ）上下方向）に直線状に延設され、反収容空間側（図２（ａ）右側）の周壁１７が収容空間１３側（図２（ａ）左側）に凸となる曲線状に形成され、収容空間１３側の周壁１７と反収容空間側の周壁１７とを連結する上下の周壁１７がポット収容トレー１の長手方向（図２（ａ）左右方向）に直線状に延設される。
【００３３】
よって、表示板２（図２（ｂ）及び図２（ｃ）参照）を上方（図２（ａ）紙面手前方向）から挿入孔１６に差し込む場合に、直線状に形成される周壁１７（収容空間１３側（図２（ａ）左側）の周壁１７）をガイドとして利用することができ、表示板２の差し込み作業を簡易に行うことができる。
【００３４】
また、図２（ｂ）及び図２（ｃ）に示すように、挿入孔１６を形成する周壁１７のうち反収容空間側（図２（ｂ）及び図２（ｃ）右側）の周壁１７の下方（図２（ｂ）及び図２（ｃ）下方）には外側リブ１８が延設され、挿入孔１６を形成する周壁１７のうち収容空間１３側（図２（ｂ）及び図２（ｃ）左側）の周壁１７の下方に内側リブ１９が延設される。
【００３５】
図２（ｃ）に示すように、外側リブ１８は、挿入孔１６の長手方向と直交する方向（図２（ｃ）左右方向）における断面が三角形状に形成される板状部分であって、収容空間１３側（図２（ｃ）左側）に凸となる曲線状に形成される周壁１７の略中央から反収容空間側（図２（ｃ）右側）へ傾斜した外側傾斜部１８ａが形成される。
【００３６】
また、外側傾斜部１８ａによって、反収容空間側（図２（ｃ）右側）のガイド開口１６ａは、その開口幅（図２（ｃ）左右方向の幅）が下方（図２（ｃ）下方）に向かうに従って広くなるように形成され、縦壁１５の終端側で最大幅に形成される。よって、ガイド開口１６ａの差し込み開始側（図２（ｃ）下側）を差し込み奥側（図２（ｃ）上側）よりも広く形成できるので、表示板２を下方から挿入孔１６に差し込む作業を簡易に行うことができる。
【００３７】
図２（ｂ）に示すように、内側リブ１９は、挿入孔１６の長手方向と直交する方向（図２（ｂ）左右方向）における断面が台形状に形成される板状部分であって、図２（ａ）に示すように、ポット収容トレー１の短手方向（図２（ａ）上下方向）に直線状に延設される収容空間１３側（図２（ａ）左側）の周壁１７の中央と上下端とに合計３つ同一形状で形成される。
【００３８】
また、図２（ｂ）に示すように、内側リブ１９は、挿入孔１６から略垂直に下降する垂直部１９ａと、垂直部１９ａの下方（図２（ｂ）下方）に連設され、下方に向かうに従って収容空間１３側（図２（ｂ）左側）へ傾斜した内側傾斜部１９ｂとが形成される。
【００３９】
よって、内側傾斜部１９ｂが下方（図２（ｂ）下方）に向かうに従って収容空間１３側（図２（ｂ）左側）へ傾斜するので、収容空間１３側のガイド開口１６ａの開口幅（図２（ｂ）左右方向の幅）が下方に向かうに従って広くなるように形成でき、表示板２を下方（図２（ｂ）下方）から挿入孔１６に差し込む作業の作業性を向上できる。
【００４０】
一方、垂直部１９ａが挿入孔１６から略垂直に下降するので、表示板２が反収容空間側（図２（ｂ）右側）へ傾いた状態で、表示板２が上方（図２（ｂ）上方）から挿入孔１６に差し込まれると、表示板２の足部２ｂが垂直部１９ａに当接し、表示板２の反収容空間側へ傾きを規制できる。その反収容空間側へ傾きが規制された表示板２は、図２（ｃ）に示すように、外側リブ１８によっては規制されることなく、その自重により収容空間１３側（図２（ｃ）左側）へ傾けられる。
【００４１】
よって、上方から差し込まれた表示板２の足部２ｂは反収容空間側（図２（ｃ）右側）へ傾斜した外側傾斜部１８ａに沿って傾けられた状態で、収容空間１３側の周壁１７と外側傾斜部１８ａとに当接保持されるので、表示板２に表示された育苗ポット（図示せず）の情報を認識し易い状態でその表示板２を取り付けることができる。
【００４２】
図２（ａ）から図２（ｃ）に示すように、挿入孔１６は中央部の間隙が最も狭く形成されており、その中央部の周壁の下方に外側リブ１８と内側リブ１９とがそれぞれ延設されるので、挿入孔１６へ挿入された表示板２の足部２ｂは外側リブ１８と内側リブ１９とにより案内される。上述したように、内側リブ１９には挿入孔１６から略垂直に下降する垂直部１９ａが形成され、外側リブ１８には下方に向かうに従って反収容空間側（図２（ｃ）右側）へ傾斜した外側傾斜部１８ａが形成されるので、挿入孔１６へ挿入された表示板２の足部２ｂは外側リブ１８と内側リブ１９とにより案内されて、外側リブ１８の外側傾斜部１８ａと収容空間１３側の周壁１７とに当接して保持される。よって、表示板２を収容空間１３側（図２（ｃ）左側）に確実に傾けることができる。
【００４３】
図２（ｃ）に示すように、内側リブ１９は外側リブ１８より上下方向（図２（ｃ）上下方向）に長尺に形成されるので、内側リブ１９の内側傾斜部１９ｂの下端を外側リブ１８の外側傾斜部１８ａの下端より下方（図２（ｃ）下方）に形成できる。よって、フランジ１４の下方から表示板２の足部２ｂが挿入される場合に、表示板２の足部２ｂは、外側傾斜部１８ａより、挿入孔１６の端部及び中央部の３カ所ある内側傾斜部１９ｂのいずれかに当接しやすい。従って、内側リブ１９の内側傾斜部１９ｂをガイドとして利用でき、表示板２をフランジ１４の下方から挿入孔１６に差し込む作業を簡易に行うことができる。
【００４４】
また、垂直部１９ａと内側傾斜部１９ｂとの分岐点は、外側リブ１８の上下方向（図２（ｃ）上下方向）における長さ範囲内、具体的には、外側リブ１８の上端より下端に近接するように設定される。
【００４５】
かかる分岐点が外側リブ１８の上端より下端に近接するように形成されると、分岐点が外側リブ１８の下端より上端に近接するように形成される場合に比べて、内側リブ１９の垂直部１９ａの長さを長尺に形成できる。よって、表示板２が反収容空間側（図２（ｃ）右側）へ傾いた状態で上方（図２（ｃ）上方）から差し込まれた場合に、表示板２の足部２ｂを垂直部１９ａに確実に当接させることができる。
【００４６】
このように、表示板２の足部２ｂが垂直部１９ａに確実に当接するので、垂直部１９ａに連続する内側傾斜部１９ｂに当接することを抑制できる。よって、表示板２の足部２ｂが内側傾斜部１９ｂと反収容空間側（図２（ｃ）右側）の周壁１７とで保持されることによって、表示板２の表示部２ａが反収容空間側（図２（ｃ）右側）へ傾くことを抑制することができる。
【００４７】
図２（ｄ）に示すように、内側リブ１９を介して、ポット収容トレー１のフランジ１４と収容壁１２とが連結されるので、内側リブ１９でフランジ１４が補強されると共に、外側リブ１８を介してフランジ１４と周壁１７とが連結されるので、外側リブ１８でフランジ１４が補強される。よって、ポット収容トレー１の耐久性を向上できる。
【００４８】
次に、図３を参照して、上方からポット収容トレー１に表示板２を取り付ける場合の動作について説明する。図３は、挿入孔１６の部分におけるポット収容トレー１の拡大断面図であり、図２（ｃ）に対応する。図３（ａ）は、表示板２の足部２ｂが上方から挿入孔１６に差し込まれた状態を示し、図３（ｂ）は、表示板２が収容空間１３側の周壁１７及び外側傾斜部１８ａに当接され保持される状態を示す。
【００４９】
図３（ａ）に示すように、表示板２はフランジ１４の上方（図３（ａ）上側）から、中央よりも幅広の端部における間隙を利用して、挿入孔１６に差し込まれる（図２（ａ）参照）。その差し込まれた表示板２は、反収容空間側（図３（ａ）右側）へ傾こうとしても、垂直部１９ａが挿入孔１６から略垂直に下降するので、表示板２の足部２ｂが内側リブ１９の垂直部１９ａに当接すると、表示板２の反収容空間側への傾きが規制される。さらに、表示板２の足部２ｂが下方（図３（ａ）下側）に差し込まれると、垂直部１９ａに沿って表示板２の足部２ｂが下方に移動し、表示板２の全体が上下方向（図３（ａ）上下方向）に指向する。
【００５０】
図３（ｂ）に示すように、外側リブ１８には、下方に向かうに従って反収容空間側（図３（ｂ）右側）へ傾斜した外側傾斜部１８ａが形成されるので、フランジ１４の上方から挿入孔１６に差し込まれた表示板２の足部２ｂは、外側リブ１８に規制されることなく、その足部２ｂが外側リブ１８の外側傾斜部１８ａに当接するまで収容空間１３側（図３（ｂ）左側）へ傾けられる。これにより、足部２ｂに連続する表示部２ａが収容空間１３側に傾けられ、足部２ｂが外側傾斜部１８ａと収容空間１３側の周壁１７とに当接され保持される。
【００５１】
よって、図３（ａ）及び図３（ｂ）に示すように、表示板２をフランジ１４の上方から挿入孔１６に差し込むことにより、表示板２の表示部２ａを収容空間１３側（図３（ａ）及び図３（ｂ）左側）へ傾けた状態で保持できるので、表示板２の表示部２ａに表示された育苗ポット（図示せず）の情報を認識し易い状態で、表示板２をポット収容トレー１に取り付けることができる。
【００５２】
上述したように、表示板２は、その自重により、反収容空間側（図３（ａ）及び図３（ｂ）右側）ではなく、収容空間１３側（図３（ａ）及び図３（ｂ）左側）へ傾けられ、その足部２ｂが収容空間１３側の周壁１７と外側リブ１８の外側傾斜部１８ａに当接することにより、表示板２の傾斜状態が維持される。
【００５３】
よって、表示板２はその自重により収容空間１３側の周壁１７に接した状態で、外側傾斜部１８ａと収容空間１３側の周壁１７とに保持される。この場合、挿入孔１６の収容空間１３側の周壁１７は直線状に形成されるので、表示板２を直線状の周壁１７に沿わせて線状で支えることができ、表示板２を安定保持できる。
【００５４】
図４を参照して、フランジ１４の下方から表示板２０２が挿入孔１６に差し込まれるポット収容トレー１を説明する。図４（ａ）は、ポット収容トレー１の斜視図であり、図４（ａ）のＹで示す部分について拡大図示される。図４（ｂ）は、表示板２０２の正面図である。表示板２が挿入孔１６に上から差し込まれる場合と、表示板２０２が挿入孔１６に下から差し込まれる場合において、表示板２，２０２の構成は相違するが、ポット収容トレー１は同一形状に形成される。よって、ポット収容トレー１に表示板２を上から差し込む場合と同一の符号を付して、その説明を省略する。
【００５５】
フランジ１４の上方から差し込まれる表示板２には、表示部２ａの下部から挿入孔１６に差し込まれる足部２ｂが矩形状に延設されていたのに対して、図４（ｂ）に示すように、フランジ１４の下方から差し込まれる表示板２０２には、矩形状の表示部２０２ａの上部から挿入孔１６に差し込まれる足部２０２ｂが矢印形状に延設される。
【００５６】
図４（ａ）に示すように、ポット収容トレー１の挿入孔１６に後述する表示板２０２の足部２０２ｂかフランジ１４の下方から差し込まれ、ポット収容トレー１に取り付けられる。図４（ｂ）に示すように、矢印形状の足部２０２ｂにおいて、表示板２０２の幅方向（図４（ｂ））の左右方向に突出する突出部２０２ｃが形成され、その突出部２０２ｃが挿入孔１６の縁に係合することにより、表示板２０２の落下が防止される（図４（ａ）のＹで示す部分参照）。
【００５７】
図５及び図６を参照して、下方からポット収容トレー１に表示板２０２を取り付ける場合の動作について説明する。図５及び図６は、挿入孔１６の部分におけるポット収容トレー１の拡大断面図であり、図２（ｃ）に対応する。また、図５（ａ）は、挿入孔１６に下方から差し込まれた表示板２０２の足部２０２ｂが外側リブ１８に当接した状態を示し、図５（ｂ）は、表示板２０２の足部２０２ｂが外側リブ１８によって挿入孔１６へ案内される状態を示し、図５（ｃ）は、表示板２０２の足部２０２ｂがポット収容トレー１に取り付けられた状態を示す。また、図６（ａ）は、挿入孔１６に下方から差し込まれた表示板２０２の足部２０２ｂが内側リブ１９に当接した状態を示し、図６（ｂ）は、表示板２０２の足部２０２ｂが内側リブ１９によって挿入孔１６へ案内される状態を示し、図６（ｃ）は、表示板２０２の足部２０２ｂがポット収容トレー１に取り付けられた状態を示す。
【００５８】
図５（ａ）に示すように、フランジ１４の下方（図５下方）から挿入孔１６に向かって差し込まれた表示板２０２は、その足部２０２ｂが外側リブ１８の外側傾斜部１８ａに当接すると、外側傾斜部１８ａが下方に向かうに従って反収容空間側（図５（ａ）右側）へ傾斜しているので、即ち上方（図５（ａ）上方）に向かうに従って収容空間１３側（挿入孔１６）側（図５（ａ）左側）へ向かうように傾斜しているので、表示板２０２の足部２０２ｂは収容空間１３側（図５（ａ）左側）へ傾けられる。
【００５９】
図５（ｂ）に示すように、収容空間１３側（図５（ｂ）左側）へ傾けられた表示板２０２の足部２０２ｂは、外側傾斜部１８ａに沿って上方（図５（ｂ）上方）へ移動し、外側傾斜部１８ａと連続する周壁１７によって形成される挿入孔１６へ案内される。
【００６０】
図５（ｃ）に示すように、表示板２０２の足部２０２ｂが挿入孔１６に差し込まれ、表示板２０２の足部２０２ｂが収容空間１３側の周壁１７及び外側傾斜部１８ａに当接され保持される。
【００６１】
また、図６（ａ）に示すように、フランジ１４の下方（図６（ａ）下方）から、挿入孔１６に差し込まれた表示板２０２は、その足部２０２ｂが内側傾斜部１９ｂに当接すると、内側傾斜部１９ｂが下方に向かうに従って収容空間１３側（図６（ａ）左側）へ傾斜しているので、即ち上方（図６（ａ）上方）に向かうに従って反収容空間側（挿入孔１６）側（図６（ａ）右側）へ向かうように傾斜しているので、その足部２０２ｂは、収容空間１３側（図６（ａ）左側）へ傾けられる。かかる足部２０２ｂは、内側傾斜部１９ｂに沿って上方（図６（ａ）上方）へ移動する。
【００６２】
そして、図６（ｂ）に示すように、内側傾斜部１９ｂと連続する垂直部１９ａに沿って表示板２の足部２０２ｂがさらに上方（図６（ｂ）上方）へ移動すると、垂直部１９ａと連続する周壁１７によって形成される挿入孔１６へ案内される。
【００６３】
さらに、図６（ｃ）に示すように、挿入孔１６へ案内された挿入孔１６に差し込まれ、表示板２０２の足部２０２ｂが収容空間１３側の周壁１７及び外側傾斜部１８ａに当接され保持される。
【００６４】
結果として、下方（図５及び図６下方）から差し込まれた表示板２０２の足部２０２ｂが外側リブ１８又は内側リブ１９のいずれに当接しても、その足部２０２ｂを外側傾斜部１８ａ又は内側傾斜部１９ｂに沿って上方（図５上方）に移動させることができる。これにより、表示板２０２の足部２０２ｂが挿入孔１６へ案内され差し込まれるので、表示板２０２の挿入孔１６への差し込み作業を簡易に行うことができ、その作業性を向上できる。
【００６５】
次に、図７を参照して、本発明の第二実施の形態におけるポット収容トレー１０１について説明する。図７（ａ）は、本発明の第二実施の形態におけるポット収容トレー１０１のフランジ１１４部分の拡大上面図であり、なお、上記した第一実施の形態と同一の部分には同一の符号を付して、その説明を省略する。
【００６６】
図７（ａ）は、挿入孔１１６の部分におけるポット収容トレー１０１の拡大平面図であり、図７（ｂ）は、図７（ａ）のＶＩＩｂ―ＶＩＩｂ線におけるポット収容トレー１０１の拡大断面図であり、図７（ｃ）は、図７（ａ）のＶＩＩｃ―ＶＩＩｃ線におけるポット収容トレー１０１の拡大断面図であり、図７（ｄ）は、挿入孔１１６の部分におけるポット収容トレー１０１の拡大下面図である。また図７（ｂ）のＺで示す部分について拡大図示される。なお、図７（ｂ）において、表示板２が二点鎖線で図示される。
【００６７】
第一実施の形態におけるポット収容トレー１では、反収容空間側（図２（ｂ）右側）の周壁１７が挿入孔１６の穿設方向（図２（ｂ）上下方向）に延設されるのに対して、第二実施の形態におけるポット収容トレー１０１では、反収容空間側（図７（ｂ）右側）の周壁１１７が収容空間１３側に傾斜する方向（図７（ｂ）左斜め上方から右斜め下方）に延設される。
【００６８】
これにより、挿入孔１１６の中央部の間隙（反収容空間側（図７（ｂ）右側）の周壁１１７と収容空間１３側（図７（ｂ）左側）の周壁１７との間隙）を表示板２の厚みと略同一に形成できる。よって、表示板２の足部２ｂは、反収容空間側の周壁１１７と外側傾斜部１８ａとで当接保持されるだけでなく、収容空間１３側の周壁１７によっても当接保持されるので、表示板２の足部２ｂの移動を反収容空間側の周壁１１７と、収容空間１３側の周壁１７及び外側傾斜部１８ａとで規制することができる。
【００６９】
従って、挿入孔１１６の中央部の間隙を表示板２の厚みと略同一に形成した場合は、表示板２の厚みより大きく形成した場合に比べて、表示板２の足部２ｂが挿入孔１１６表示板２のぐらつきを確実に防止でき、表示板２の抜けを防止できる。よって、トラック等による運搬中に表示板２がポット収容トレー１から抜けることを防止できる。
【００７０】
さらに、図８を参照して、本発明の第三から第五実施の形態におけるポット収容トレー２０１，３０１，４０１について説明する。図８（ａ）は、本発明の第三実施の形態における挿入孔２１６の部分を示すポット収容トレー２０１の拡大上面図であり、図８（ｂ）は、本発明の第四実施の形態における挿入孔３１６の部分を示すポット収容トレー３０１の拡大上面図であり、図８（ｃ）は、本発明の第五実施の形態における挿入孔４１６の部分を示すポット収容トレー４０１の拡大上面図である。なお、上記した第一実施の形態と同一の部分には同一の符号を付して、その説明を省略する。
【００７１】
第一実施の形態におけるポット収容トレー１では、フランジ１４に穿設される挿入孔１６は、平面視（図２（ａ）紙面手前から視て）平凹レンズ形状に形成されるのに対して、第三実施の形態におけるポット収容トレー２０１では、フランジ２１４に穿設される挿入孔２１６は、平面視（図８（ａ）紙面手前から視て）両凹レンズ形状に形成される。
【００７２】
よって、図８（ａ）に示すように、周壁２１７は、挿入孔２１６の縁に沿って両凹レンズ形状に形成され、外側リブ２１８と内側リブ２１９とは、ポット収容トレー２０１の短手方向（図８（ａ）左右方向）の長さが略同一に形成され、内側リブ２１９は挿入孔２１６の中央にのみ形成される。これにより、省略された端部の内側リブ２１９の長さ分だけ、第一実施の形態に比べて、挿入孔２１６の間隙部分を幅広に形成することができるので、表示板２（図１参照）を挿入孔２１６に差し込む作業性を向上できる。
【００７３】
また、第四実施の形態におけるポット収容トレー３０１では、フランジ３１４に穿設される挿入孔３１６は、平面視（図８（ｂ）紙面手前から視て）砂時計形状に形成される。よって、外側リブ３１８と内側リブ３１９とは、第三実施の形態と同様に、ポット収容トレー３０１の長手方向（図８（ｂ）左右方向）における長さが略同一に形成され、内側リブ３１９は挿入孔３１６の中央にのみ形成される。従って、第一実施の形態に比べて挿入孔３１６の幅広の間隙部分を、ポット収容トレー３０１の短手方向（図８（ｂ）上下方向）に長く形成できるので、表示板２（図１参照）を挿入孔３１６に差し込む作業性を向上できる。
【００７４】
さらに、第五実施の形態におけるポット収容トレー４０１では、フランジ４１４に穿設される挿入孔４１６は、平面視（図８（ｃ）紙面手前から視て）ダンベル形状に形成される。よって、外側リブ４１８と内側リブ４１９とは、第二及び第三実施の形態と同様に、ポット収容トレー４０１の長手方向（図８（ｂ）左右方向）における長さが略同一に形成され、内側リブ４１９は挿入孔４１６の中央にのみ形成される。従って、第一実施の形態に比べて挿入孔４１６の幅狭の間隙部分を、ポット収容トレー４０１の短手方向（図８（ｂ）上下方向）に長く形成できるので、表示板２，２０２（図１及び図４参照）がぐらつくことを防止できる。
【００７５】
また、第一実施の形態に比べて、挿入孔４１６の幅広の間隙部分を、ポット収容トレー４０１の短手方向（図８（ｂ）上下方向）に長く形成できるので、表示板２の足部２ｂを挿入孔４１６に挿入し易い。よって、表示板２（図１参照）を挿入孔４１６に差し込む作業性を向上できる。
【００７６】
以上、各実施の形態に基づき本発明を説明したが、本発明は上述した各実施の形態に何ら限定されるものではなく、本発明の趣旨を逸脱しない範囲内で種々の改良変更が可能であることは容易に推察できるものである。
【００７７】
例えば、上記実施の形態では、挿入孔１６は、フランジ１４の短辺部分に３つ穿設されるが、これに限られず１つ又は２つであってもよい。１つの場合は、フランジ部の短辺部分の中央に穿設され、２つの場合はフランジ１４の両端にそれぞれ穿設されることが好ましい。このように構成することにより、後述する表示板２を安定保持できる。
【００７８】
また、上記実施の形態では、挿入孔１６は、フランジ１４の短辺部分に穿設されるが、長辺部分であってもよい。この場合、３つ以上の挿入孔１６を穿設することが可能である。これにより、短辺部分に挿入孔１６を穿設した場合に比べて、より広い表示面積を有する表示板２をポット収容トレー１に取り付けることができ、消費者の購買意欲を喚起でき、作業者の作業性を向上できる。
【００７９】
加えて、上記実施の形態では、挿入孔１６は、フランジ１４の短辺部分に穿設されるが、四辺すべてのフランジ１４に穿設してもよい。これにより、販売店等は、ポット収容トレー１の設置状態（縦置き、横置き）に応じて、表示板２，２０２の取り付け場所を変えることができる。よって、ポット収容トレー１の設置状態に関わらず、表示板２を認識し易い状態でポット収容トレー１に取り付けることができ、消費者の購買意欲を喚起でき、作業者の作業性を向上できる。
【００８０】
さらに、上記実施の形態では、垂直部１９ａと内側傾斜部１９ｂとの分岐点が外側リブ１８の下端より上端に近接するように設定されるが、かかる分岐点が外側リブ１８の上端より下端に近接するように設定されてもよい。この場合は、垂直部１９ａに当接することなく、内側傾斜部１９ｂに当接すると、表示板２の表示部２ａが反収容空間側（図２（ａ）右側）に傾いてしまうが、反収容空間側（図２（ａ）右側）の周壁１７は、収容空間１３側（図２（ｃ）左側）に凸となる曲線状に形成されるので、表示板２の自重が作用する表示板２の表示部２ａの反収容空間側は、反収容空間側の周壁１７の中央において点で保持される。よって、表示板２は安定保持されていないので、簡単に表示板２の傾きを収容空間１３側に修正できる。
【図面の簡単な説明】
【００８１】
【図１】（ａ）は、第一実施の形態におけるポット収容トレーの斜視図であり、図１（ｂ）は、表示板の正面図である。
【図２】（ａ）は、挿入孔の部分におけるポット収容トレーの拡大上面図であり、（ｂ）は、図２（ａ）のＩＩｂ―ＩＩｂ線におけるポット収容トレーの拡大断面図であり、（ｃ）は、図２（ａ）のＩＩｃ―ＩＩｃ線におけるポット収容トレーの拡大断面図であり、（ｄ）は、挿入孔の部分におけるポット収容トレーの拡大下面図である。
【図３】は、挿入孔の部分におけるポット収容トレーの拡大断面図であり、（ａ）は、表示板の足部が上方から挿入孔に差し込まれた状態を示し、（ｂ）は、表示板が収容空間側の周壁及び外側傾斜部に当接され保持される状態を示す。
【図４】。（ａ）は、ポット収容トレーの斜視図であり、（ｂ）は、表示板の正面図である。
【図５】挿入孔の部分におけるポット収容トレーの拡大断面図であり、（ａ）は、挿入孔に下方から差し込まれた表示板の足部が外側リブに当接した状態を示し、（ｂ）は、表示板の足部が外側リブによって挿入孔へ案内される状態を示し、（ｃ）は、表示板の足部がポット収容トレーに取り付けられた状態を示す。
【図６】挿入孔の部分におけるポット収容トレーの拡大断面図であり、（ａ）は、挿入孔に下方から差し込まれた表示板の足部が内側リブに当接した状態を示し、（ｂ）は、表示板の足部が内側リブによって挿入孔へ案内される状態を示し、（ｃ）は、表示板の足部がポット収容トレーに取り付けられた状態を示す。
【図７】（ａ）は、挿入孔の部分におけるポット収容トレーの拡大上面図であり、（ｂ）は、図７（ａ）のＶＩＩｂ―ＶＩＩｂ線におけるポット収容トレーの拡大断面図であり、（ｃ）は、図７（ａ）のＶＩＩｃ―ＶＩＩｃ線におけるポット収容トレーの拡大断面図であり、（ｄ）は、挿入孔の部分におけるポット収容トレーの拡大下面図である。
【図８】（ａ）は、本発明の第三実施の形態における挿入孔の部分を示すポット収容トレーの拡大上面図であり、（ｂ）は、本発明の第四実施の形態における挿入孔の部分を示すポット収容トレーの拡大上面図であり、（ｃ）は、本発明の第五実施の形態における挿入孔の部分を示すポット収容トレーの拡大上面図である。
【符号の説明】
【００８２】
１，１０１，２０１，３０１，４０１  ポット収容トレー
１１                                底壁
１２                                収容壁
１３                                収容空間
１４                                フランジ
１５                                挿入孔
１６                                周壁
１８                                外側傾斜部
１８ａ                              外側リブ
１９                                内側リブ
１９ａ                              垂直部
１９ｂ                              内側傾斜部
２，２０２                          表示板
【図１】
2010136641.tif 000003
【図２】
2010136641.tif 000004
【図３】
2010136641.tif 000005
【図４】
2010136641.tif 000006
【図５】
2010136641.tif 000007
【図６】
2010136641.tif 000008
【図７】
2010136641.tif 000009
【図８】
2010136641.tif 000010